(57)【要約】  マットは、車両管理中またはキャンピングのときを含む適用範囲で使用する為の、少なくとも一つの発光要素を含む。マットは、通常、ユーザに快適さと光を与える。また、マットは、例えば、液体の獲得や排水、および／または、落とされた物の収集を支援する為に表面構造体の範囲を選択的に含む。
2017532089.tif 000002
【特許請求の範囲】
【請求項１】
少なくとも一つの発光素子を含むマット。
【請求項２】
第２表面と実質的に対向する第１表面を含む、請求項１に記載のマット。
【請求項３】
前記少なくとも一つの発光素子は、前記マットに埋め込まれる、請求項１または２に記載のマット。
【請求項４】
前記第１表面および第２表面のうち少なくとも一つの表面が、少なくとも一つの窪み部を含む、請求項２または３に記載のマット。
【請求項５】
前記第１表面および第２表面のうち少なくとも一つの表面が、少なくとも一つの隆起部を含む、請求項２〜４のいずれか一項に記載のマット。
【請求項６】
前記マットは実質的に柔軟であり、前記マットが巻き上げられたり、折り畳まれたときのコンパクトな構成と、広げられた構成との間の動きを可能にする、請求項１〜５のいずれか一項に記載のマット。
【請求項７】
前記マットは、実質的に柔軟な材料で形成されている、請求項１〜６のいずれか一項に記載のマット。
【請求項８】
前記マットは、複数の発光素子を含む、請求項１〜７のいずれか一項に記載のマット。
【請求項９】
前記マットは、反射層を含む、請求項１〜８のいずれか一項に記載のマット。
【請求項１０】
反射層は、前記第１表面および第２表面のうち少なくとも一つの表面と前記発光素子との間にある、請求項２〜９のいずれか一項に記載のマット。
【請求項１１】
前記第１表面および第２表面のうち少なくとも一つの表面は、うね模様が付けられている、請求項２〜１０のいずれか一項に記載のマット。
【請求項１２】
前記第１表面および第２表面のうち少なくとも一つの表面は、少なくとも一つのチャネルを含む、請求項２〜１１のいずれか一項に記載のマット。
【請求項１３】
前記少なくとも一つのチャネルは、前記マットの縁に端部を含み、前記チャネル内の流体が前記マットの縁の方に導かれる、請求項１２に記載のマット。
【請求項１４】
前記マットは、前記マットを貫通する少なくとも一つの貫通穴を含む、請求項１〜１３のいずれか一項に記載のマット。
【請求項１５】
少なくとも圧力センサを更に含む、請求項１〜１４のいずれか一項に記載のマット。
【請求項１６】
前記少なくとも一つの圧力センサおよび発光素子は、前記少なくとも一つの圧力センサの作動の際、一つまたは複数の前記発光素子を作動または作動停止させるように構成される、請求項１５に記載のマット。
【請求項１７】
前記少なくとも一つの隆起部は、実質的に半球状である、請求項５に記載のマット。
【請求項１８】
前記マットは、少なくとも一部が透明材料から形成されている、請求項１〜１７のいずれか一項に記載のマット。
【発明の詳細な説明】
【発明の分野】
【０００１】
[001]本発明は、フロアマットなど、特に、照明を与えるマットに関する。
【０００２】
【発明の背景】
【０００３】
[002]本願明細書において、いかなる従来公報（または、その従来公報から導かれる情報）、知られた事項は、自認や承認として扱われるべきではなく、従来の公報（あるいは、公報から導かれる情報）や既知の事項が、本願明細書が関連する試みの分野において、共通一般知識の一部を形成する如何なる形式の示唆としても扱われるべきではない。
【０００４】
[003]しばしば、車両整備を行うとき、車両を良く見るために、さらに／または、車両の下側へのアクセスを容易にするため、地面に座ったり横たわることが必要である。作業場の床は、通常、コンクリートでできており、硬いので、整備を行う人を非常に不快にさせる。床は、オイル、グリース、埃、化学物質および／または他の粒子材料から汚れており、作業場の床に直接横たわったり、座る整備工／技術者は、服を汚し、健康に有害な物質と接触するようになる。
【０００５】
[004]また、車両で整備を行うことは、車両により投じられる陰により大変になり得る。車両の下部構造を見ることを難しくすることは別として、車両の下に光がないと、落下した工具、部品（小さなボルトなど）を見つけることが難しくなる。
【０００６】
[005]過去に、車両を整備するとき、整備工は、通常、クリーパーを使用してきた。クリ−パーは、整備工が車両の下に滑り込むことを可能にするスケートボードのような装置である。しかしながら、クリ−パー装置は、技術者に対する不快に伴う前述した問題と有効に取り組んでおらず、十分な照明を与えない。さらに、クリ−パーの車輪は、オイル溜まりでスリップし、さらに／または、地面にある工具や他の部品にぶつかる場合がある。また、クリ−パーは、硬い車台のため、保管および運搬が難しい。
【発明の概要】
【０００７】
[006]本発明からの一つの広い部分は、少なくとも一つの発光素子を含むマットを提供することである。
【０００８】
[007]一つの形態において、マットは、第２面の実質的に反対側にある第１面を含む。
【０００９】
[008]一つの形態において、その少なくとも一つの発光素子が、マット内部に埋め込まれている。
【００１０】
[009]一つの形態において、複数の表面のうち少なくとも一つの表面は、少なくとも一つの窪みを含む。
【００１１】
[0010]更なる形態において、複数の表面のうち少なくとも一つの表面は、一つの隆起部を含む。
【００１２】
[0011]他の形態において、マットは、実質的に柔軟であり、マットが巻き上げられたり折り畳まれるコンパクトな構成と、拡張された構成との間の展開を許容する。
【００１３】
[0012]一つの形態において、マットは、実質的に柔軟な材料で形成される。
【００１４】
[0013]他の形態において、マットは、複数の発光素子を含む。
【００１５】
[0014]一つの形態において、マットは、反射層を含む。
【００１６】
[0015]他の形態において、反射層は、複数の表面のうちの一つの表面と発光素子との間にある。
【００１７】
[0016]更なる形態において、複数の表面のうち少なくとも一つの表面は、うね模様が付けられている。
【００１８】
[0017]一つの形態において、複数の表面のうち少なくとも一つの表面は、少なくとも一つのチャネルを含む。
【００１９】
[0018]他の形態において、その少なくとも一つのチャネルは、マット縁に端部を含み、チャネル内の、どんな流体もマット縁の方に向けられる。
【００２０】
[0019]更なる形態において、マットは、少なくとも一つの貫通穴を含む。
【００２１】
[0020]一つの形態において、マットは、少なくとも一つの圧力センサを更に含む。
【００２２】
[0021]更なる形態において、その少なくとも一つの圧力センサおよび発光素子は、その少なくとも一つの圧力センサの作動の際、発光素子の一つ以上が作動されるか、作動停止される。
【００２３】
[0022]一つの形態において、その少なくとも一つの隆起部は、実質的に半球状である。
【００２４】
[0023]他の形態において、マットは、透過性材料で、少なくとも部分的に形成される。
【図面の簡単な説明】
【００２５】
[0024]本発明は、本発明の実施形態の図を参照して良く理解される。
【図１ａ】図１ａは、一形態に従うマットの一実施例を示す。
【図１ｂ】図１ｂは、図１のマットの側面図を示す。
【図２ａ】図２ａは、半球状隆起部を含む一形態に従うマットの一実施例を示す。
【図２ｂ】図２ｂは、図１ｂのマットの側面図を示す。
【図３ａ】図３ａは、内部にピット／窪みを備えた表面を有する一形態に従うマットの一実施例の斜視図を示す。
【図３ｂ】図３ａのマットの側面図を示す。
【図４ａ】図４ａは、うね模様が付けられた表面／波形が付けられた表面を有する一形態に従うマットの一実施例の斜視図を示す。
【図４ｂ】図４ｂは、図４ａのマットの側面図を示す。
【図５ａ】図５ａは、盛り上げられた表面を有する一形態に従うマットの更なる実施例を示す。
【図５ｂ】図５ｂは、図５ａのマットの側面図を示す。
【詳細な説明】
【００２６】
[0025]本発明の実施形態は、少なくとも一つの発光素子を含むマットを提供する。一つの実施例用途において、マットは、明かりがほとんど無いか弱光の状況で整備工によって使用可能である。例えば、マットは、車両の下で作業するとき、あるいは、夜間または夜遅く、車両で作業するとき、特に有用である。マットは、また、例えば、キャンピングのような他の用途を有することが認識されよう。
【００２７】
[0026]通常、マットは、マット内部に埋め込まれた複数の発光素子を含む。発光素子を埋め込むことによって、例えば、点検の間、整備工がマットに横たわるとき、あるいは、水、油、冷却剤のような液体がマットにしたたり落ちるとき、要素に対する発生し得る損傷可能性を低くする。しかしながら、幾つかの形態において、発光素子は、埋め込まれる必要がないが、固定されるか、マットの表面に別の方法で係合されることが認識されよう。
【００２８】
[0027]マットは、通常、対向する２つの表面または側部を含む。一般的には、整備工または他のユーザが横たわるか座る最上面と、地面と接触する底面または基部とを含む。発光素子は、通常、マットに埋め込まれ、光が、これらの表面のうち少なくとも一面から発光される。通常、マットは、光が最上面から発光されるように構成されるが、光が両面から発光されるようにマットが両面になるように構成されてもよいことが認識されよう。光を発光させるため、マットの全部または一部は、通常、（少なくとも部分的に）半透明、透明、光透過性の材料で形成される。半透明または光透過性の材料でマットを形成することによって、発光素子から発光される光の拡散にも寄与できる。
【００２９】
[0028]発光素子は、通常、発光ダイオード（ＬＥＤ）である。しかしながら、他の発光素子が使用可能であることが認識されよう。ＬＥＤは、幾つかの形態にとって有利であると考えられるのは、それらが、比較的低電力を消費し、著しく加熱しないからである。他の形態において、発光素子は、可能性を与える熱のために選択されてもよい。光を与えることに加えて、素子は、マットに横たわるユーザに熱を与えるように使用／構成／配置されてもよい。これらの形態は、寒い季節の時期および／またはキャンピングのときに有利である。
【００３０】
[0029]マットは、マットの表面のうち少なくとも一面に、窪みおよび／または隆起部および／または他の表面形状／構造を含んでもよい。通常、隆起部および／または窪みおよび／または他の表面形状／構造は、最上部またはユーザが接触する表面に設けられる。窪み／隆起部／形状／構造は、マットにピットまたは窪み（valleys）を与えてもよく、車両から漏れたかもしれないオイルのような流体を集めることができる。さらに、窪み／隆起部／形状／構造は、マットに落とされる物品（例えば、工具やボルトなど）が消え去ることを防止するのに役立つことができる。隆起および／または窪みおよび／または他の形状／構造は、発光素子から放射される光の拡散に寄与するように構成されてもよい。表面（複数の表面）は、様々な形状／構造（例えば、うね模様、溝、チャネル、半球状の盛り上げ部、ピット、持ち上げられた周囲境界部など）を内部に含んでもよいことが認識されよう。
【００３１】
[0030]マットおよび発光素子は、発光素子の一部を遮断する人や物品（例えば、工具）に拘わらず、通常、十分な照明を（例えば、車両の下側に）与えるように構成または配置されることが認識されよう。マット内部の発光素子の配置、マット内の発光素子の角度、マットの材料特性および／または表面プロファイル／マットの特性の全ては、（単独で、あるいは、組み合わせて）マットから放射される光の拡散に寄与してもよい。
【００３２】
[0031]また、マットは、通常、実質的に柔軟な材料から形成されるので、マットが巻き上げられたり折り畳まれるコンパクトな構成と、マットが使用のために広げられた拡張された構成との間の展開を許容する。これが、マットを簡単に保管されたり、旅行の為に簡単に包装されることを許容する。一実施例において、マットは、少なくとも部分的にシリコンで形成される。
【００３３】
[0032]一実施例において、マットは、内部に埋め込まれる反射層を含んでもよい。反射層は、例えば、発光素子の下にある底面やベースの近くに置かれてもよく、発光素子から放射される光を最上面を介して上方に反射する。通常、反射層は、マットのベースおよび発光素子の間に配置される。
【００３４】
[0033]マットは、通常、実質的に柔軟な材料（通常は、ゴム、スポンジ等のような柔軟かつ弾力性がある材料）で形成され、ユーザに快適性を与える。整備工の場合、これが、長期の間、人が車両で作業することを可能にし、一方、マットが無いと、整備工の骨部分と作業場の床との間で、延ばされた接触期間は、痛み、不快性、血液供給欠如および／または体の領域に対する麻痺になり得る。一部の形態において、最上部／ユーザが接触する表面プロファイルは、人に対し、マッサージ効果を与えるように構成されてもよい。例えば、マットは、最上面に、半球状の隆起／突起を含んでもよい。
【００３５】
[0034]マットの柔らかい特質および／または表面形状特性は、物品（例えば、工具、トーチ、小さなボルト）の跳ね返りを減少させるのに寄与してもよい。これは、落下した工具が跳ね返って離れること、他の装備の下で失われること、あるいは、衝撃から損傷を受けることを防止するという利点がある。また、マットは、マット上に落とされる物品からの雑音を減少させるために選択された材料から形成されてもよい。
【００３６】
[0035]マットは、マットの対向表面（例えば、最上部および底部表面）の間に通路を与える穴、孔を貫通することを含んでもよい。そのような穴／孔を含むことは、こぼれた液体の排出の手助けになる。また、マットは、マットの側縁部における、又は側縁部の近くまで最上面における開口から通じるような内部チャネルを含んでもよい。これは、最上面からこぼれた液体を排出すること、こぼれた液体をマットから遠くに向け直すことに役立ち、こぼれた液体をマット上またはマット下に集めない。また、この構成は、こぼれた液体を素早く内部チャネルに向けるので、ユーザがマット上にこぼれた液体に接触することを防止することができる。
【００３７】
[0036]また、マットは、一つ以上の圧力センサを含んでもよい。圧力センサは、発光素子の一部または全部を作動／作動停止する機能を有してもよい。例えば、発光素子は、人がマットに横たわるか立つまで、作動停止状態でもよく、人がマットに横たわるか立つ時に、発光素子は（圧力センサからの信号を経て）光を与えるように作動する。あるいは、圧力センサおよび発光素子は、人を囲む発光素子だけ（人の下にある発光素子ではなく）発光するように構成されてもよい。そのため、圧力センサを含めることは、著しく電力を節約する利点を有する。圧力センサおよび発光素子は、様々な方法で構成されてもよいことが認識されよう。一つ以上の複雑な形態において、マットは、更に制御ユニット（マイクロコントローラまたは他の適した回路／処理能力）を含み、センサからの信号／情報を受け取り、処理し、発光素子の選択された作動を制御してもよい。
【００３８】
[0037]また、マットは、その意図された目的に従って、大きさが定められ／形状が定められてもよいことが認識されよう。例えば、マットの一形態において、マットは、体の全部を受けるような大きさでもよく、他の形態において、マットは、それより小さくても（その半分の大きさでも）よい。より小さな形態は、移動に適しており、例えば、スペアタイヤキットと共に含められてもよい。マットは、異なる形状の範囲で与えられ、例えば、円形、四角形、三角形、矩形、楕円、他の形状でもよいことが認識されよう。
【００３９】
[0038]一部の形態において、マットは、携帯懐中電灯、パワーボードのような追加の付属装置を含んでもよい。例えば、携帯懐中電灯は、車両を近くで検査するとき、あるいは、作業場が必要であるとき、使用の為に取外しできるようにマットに固定されてもよい。取り付けられた／内蔵されたパワーボードやソケットは、人が交換型動力工具を作業場近くで確実に作動させることを可能にしてもよく、複数の長い延長コードを有する必要性をなくし、工具をコンセントにつないだり外したりするために、ユーザがマットから離れて立つ必要性をなくし、作業を止める必要性をなくす。
【００４０】
[0039]マットは、内部電源装置によって電力が供給されてもよく、さらに／または、壁のソケットとの適した有線接続を経て主電源に接続されてもよい。内部電源装置は、充電可能なバッテリを受容するように構成されてよく、あるいは、充電可能なバッテリを含んでもよい。電源装置は、代替え又は追加で、使い捨てバッテリを受容するように構成されてもよい。
【００４１】
[0040]特に、マットの特定実施形態は、添付図に示されている。
【００４２】
[0041]図１は、複数の発光素子（２）が内部に埋め込まれたマット（１）の実施例を示す。発光素子（２）は、一様に、等間隔に配置されている。しかしながら、他の形態において、発光素子（２）は、例えば、マットの周辺に沿って、任意のパターンで構成されてもよいことが認識されよう。素子自体は、光の拡散を与える角度範囲で埋め込まれてもよいことが認識されよう。図１の実施例において、最上面（３）は、実質的に平坦である。しかしながら、他の実施形態において、これは、そのようなケースではない。また、反射層（４）は、光を最上面の方に向ける為に発光素子の下に含まれる。
【００４３】
[0042]図２は、マット（１０）の他の実施例を示す。マット（１０）は、最上面（１２）上に複数の隆起部（１１）を含む。マット（１０）の隆起部（１１）は、実質的に半球状であるが、隆起部は他の形状でもよいことが認識されよう。マット（１０）における発光素子（１３）は、隆起部（１１）内部に配置されるように示されている。他の形態において、発光素子（１３）は、マット（１０）の他の部分、例えば、隆起部（１１）の間に配置されてもよい。発光素子から放射される光の分散に寄与することとは別として、半球状隆起部は、マットに横たわる技術者または整備工に健康的マッサージのような効果を与えてもよい。
【００４４】
[0043]図３の実施形態において、マット（２０）は、ピット（２２）を与える波状の最上面プロファイル（２１）を有し、これらのピット（２２）は、液体（例えば、漏れるオイルや落とされる物品／工具）を捕捉／集めるのに特に有効である。また、波状の最上面は、発光素子からの光を分散すること、および／またはユーザに更なる快適性を与えることに寄与してもよい。
【００４５】
[0044]図４および図４ａは、本発明に従うマット（３０）の更なる実施形態を示す。マット（３０）は、複数の平行なトラフ／チャネル（３２）を備えた、うね模様付き／ひだ付きの最上面（３１）を含む。うね模様付き最上面は、こぼれる液体および／または漏れるオイルをトラフ／チャネル（３２）に沿ってマット縁まで導き／排出するのに特に有用である。さらに、マット（３０）上に横たわるユーザ／技術者は、ひだの峰部（３３）に接触するだけなので、こぼれる液体からの実質的な濡れ／汚れから保護され得る。
【００４６】
[0045]図５は、マウンド状の隆起部（４２）を備えた最上面（４１）を有するマット（４０）の更なる実施形態を示し、マウンド状隆起部（４２）は、落とされた物品、工具または部品の捕捉に役立ち、ユーザに快適性を与えることができる。この実施例におけるマット（４０）は、実質的に四角形の形状になっているが、例えば、円形、矩形、三角形、楕円形状のような大きさや形状であるようにマットの他の形態が構成されてもよいことが認識されよう。
【００４７】
[0046]図１から図５に示された最上面の特徴および／または本願で説明されたような他の任意の特徴の一つ以上の組合せを含むマットが提供されてもよいことも認識されよう。
【００４８】
[0047]マットは、技術者の作業場の外側および車両整備の外側で応用範囲を有することが認識されよう。例えば、マットは、キャンプの時の睡眠用マットとして使用されてもよく、快適さ、光および／または熱を人に提供することができる。マットは、ドア用マットとして使用されてもよく、ゲストがマットに到着し、マットに足を踏み出すときに照明する。
【００４９】
[0048]本発明の選択的な実施形態は、２つ以上の部品、要素、特徴の任意または全部の組合せにおいて、個別的または集合的に、本願で参照され又は表示された部品、要素、特徴に広く存在し、本発明が関連する技術において既知の均等物を有する特定の整数が本願で言及され、そのような既知の均等物は、個々に述べられたかのように本願に組み込まれることが意図されている。
【００５０】
[0049]好ましい実施形態は詳細に説明されてきたが、様々な変更、置換、変形が、本発明の範囲から逸脱することなく、当業者によって可能であることが理解される。
【００５１】
[0050]様々な本発明の形態は、個々に又は組合せで使用されてもよいことが認識されよう。
【図１ａ】
2017532089.tif 000003
【図１ｂ】
2017532089.tif 000004
【図２ａ】
2017532089.tif 000005
【図２ｂ】
2017532089.tif 000006
【図３ａ】
2017532089.tif 000007
【図３ｂ】
2017532089.tif 000008
【図４ａ】
2017532089.tif 000009
【図４ｂ】
2017532089.tif 000010
【図５ａ】
2017532089.tif 000011
【図５ｂ】
2017532089.tif 000012
【国際調査報告】
2017532089.tif 000013
2017532089.tif 000014